(57)【特許請求の範囲】
【請求項１】
平板状に形成された複数の陳列用棚部と、左右１対の線状材および連結棒からなる支受部材とを備え、上記両線状材を、前側に配設される短脚部と、後側に配設される長脚部と、両脚部の上端同士を連結する連結部とで構成し、上記両長脚部の下端から内側に向かって線状凸部を突設し、これら両線状凸部を連結棒で着脱自在に連結し、上記支受部材の両連結部に、その前側から後側に向かって上記複数の陳列用棚部を上り傾斜状に載置して着脱自在に固定しうるように構成し、上記複数の陳列用棚部を支受部材の両連結部に載置し固定して支受部材の両短脚部および両長脚部で支受する支受態様と、上記複数の陳列用棚部を支受部材の両連結部から取り外した状態で別々に被載置面に載置する載置態様とのいずれかの態様を選択しうるように構成したことを特徴とする陳列棚。
【発明の詳細な説明】
【０００１】
【発明の属する技術分野】
本発明は、化粧料（テスター用化粧料等を含む）を店頭等に陳列するための陳列棚に関するものである。
【０００２】
【従来の技術】
従来から、口紅等の各種化粧料を店頭等に陳列する場合には、図６に示すような陳列台４１がよく用いられている。この陳列台４１は、ひな壇形に形成されており、各段の上面に多数のテスター品挿通孔４２が穿設されている。そして、サンプル保持体４３の下側に口紅等のテスター品（試供品）４４が保持され、上側に色見本ダミー４５が取着されたテスター化粧品４６を多数（各色ごとに）用意し、上記テスター品挿通孔４２に、上記テスター化粧品４６の下部（テスター品４４の部分）を挿通させて陳列台４１上に載置し、多数並べて陳列するようにしている。
【０００３】
一方、陳列台を置くスペースは、店頭等によって一様ではなく、ある店頭等では横長のスペースに置き、別の店頭等では縦長のスペースに置くことがよくある。また、陳列の形態を変えて顧客の注意をひくこともよくある。このため、図６に示すような陳列台も横長形状や縦長形状のものが作製されている。
【０００４】
【発明が解決しようとする課題】
しかしながら、上記の陳列台では、横長形状のものや縦長形状のものを製作しなければならず、製作費が高価になり、コストアップにつながる。
【０００５】
本発明は、このような事情に鑑みなされたもので、製作費が安価で、しかも、複数の陳列用棚部を安定して支受できる陳列棚の提供をその目的とする。
【０００６】
【課題を解決するための手段】
上記の目的を達成するため、本発明の陳列棚は、平板状に形成された複数の陳列用棚部と、左右１対の線状材および連結棒からなる支受部材とを備え、上記両線状材を、前側に配設される短脚部と、後側に配設される長脚部と、両脚部の上端同士を連結する連結部とで構成し、上記両長脚部の下端から内側に向かって線状凸部を突設し、これら両線状凸部を連結棒で着脱自在に連結し、上記支受部材の両連結部に、その前側から後側に向かって上記複数の陳列用棚部を上り傾斜状に載置して着脱自在に固定しうるように構成し、上記複数の陳列用棚部を支受部材の両連結部に載置し固定して支受部材の両短脚部および両長脚部で支受する支受態様と、上記複数の陳列用棚部を支受部材の両連結部から取り外した状態で別々に被載置面に載置する載置態様とのいずれかの態様を選択しうるように構成したという構成をとる。
【０００７】
すなわち、本発明の陳列棚は、平板状に形成された複数の陳列用棚部と、左右１対の線状材および連結棒からなる支受部材とを備えている。また、上記両線状材を、前側に配設される短脚部と、後側に配設される長脚部と、両脚部の上端同士を連結する連結部とで構成し、上記両長脚部の下端から内側に向かって線状凸部を突設し、これら両線状凸部を連結棒で着脱自在に連結しており、上記支受部材の両連結部に、その前側から後側に向かって上記複数の陳列用棚部を上り傾斜状に載置して着脱自在に固定しうるように構成している。そして、上記複数の陳列用棚部を支受部材の両連結部に載置し固定して支受部材の両短脚部および両長脚部で支受する支受態様と、上記複数の陳列用棚部を支受部材の両連結部から取り外した状態で別々に被載置面に載置する載置態様とのいずれかの態様を選択しうるように構成している。したがって、本発明では、上記複数の陳列用棚部を支受部材の両連結部に直列状に配設する支受態様にすることも、上記複数の陳列用棚部を支受部材の両連結部から取り外した状態で被載置面に並列状に配設する載置態様にすることもできるため、１種類の陳列棚を作製するだけでよく、製作費が安価になる。
【０００８】
しかも、支受部材が、左右１対の線状材からなり、これら上記両線状材を、前側に配設される短脚部と、後側に配設される長脚部と、両脚部の上端同士を連結する連結部とで構成しているため、上記両線状材が撓んだり、ねじれたりしやすく、上記支受態様において、上記複数の陳列用棚部を支受部材の両連結部に安定して支受することができる。
【０００９】
そのうえ、支受部材の製作費が安価であり、両線状材を収納等する場合にも嵩張らない。
【００１０】
【発明の実施の形態】
つぎに、本発明の実施の形態を図面にもとづいて詳しく説明する。
【００１１】
図１は本発明の陳列棚の一実施の形態を示している。図において、１〜３は平板状に形成されたプラスチック製の陳列用棚部であり、それぞれ別体に作製されている。４は上記各陳列用棚部１〜３を前後方向に直列状に並べた状態で載置して固定しうる金属製の支受部材である。５は紙製の宣伝用ボードである。
【００１２】
上記各陳列用棚部１〜３のうち、下側の陳列用棚部１および中間の陳列用棚部２には、図２に示すように、トレイ６，７を載置する矩形状凹部８，９（これら両矩形状凹部８，９の右側面と後側面は解放されている）と、チューブタイプの化粧料容器１０，１１（図１参照）を倒立させた状態で載置する長円状凹部１２，１３と、コンパクト１４，１５（図１参照）を載置する略半円形状凹部１６，１７（これら両略半円形状凹部１６，１７の左側面は解放されている）が形成されている。また、上記両トレイ６，７には、化粧皿１８，１９（図１参照）を収容する化粧皿収容凹部６ａ，７ａが形成されている。一方、上側の陳列用棚部３には、上下２段のトレイ２０，２１を載置する矩形状凹部２２（この矩形状凹部２２の右側面は解放されている）と、ボトルタイプの化粧料容器２３，２４（図１参照）を載置する円形状凹部２５，２６が形成されている。また、上記両トレイ２０，２１には、化粧皿２７（図１参照）を収容する化粧皿収容凹部２０ａ，２１ａが形成されている。なお、図１には、下側のトレイ２０の化粧皿収容凹部２０ａに収容される化粧皿は図示せず。図１において、３ａは上側の陳列用棚部３の後側面に突設された左右一対の挿通片部であり、上記宣伝用ボード５の中央下面から垂下する係合片部５ａが挿通されて固定される。２８は下側の陳列用棚部１および上側の陳列用棚部３の左側面から突出する宣伝用シートであり、２９は上記各トレイ６，７，２１の上面に貼着された宣伝用シールである。
【００１３】
また、下側の陳列用棚部１には、その底部に、左右一対の脚部１ａ（図１および図２では、左側の脚部１ａは隠れて見えない）と、後述する支受部材４の両連結部３３の下端部分を着脱自在に固定するためのプラスチックねじ（図示せず）が設けられており、中間の陳列用棚部２には、その底部に、左右一対の脚部２ａ（図３参照）と、上記両連結部３３の中間部分を着脱自在に固定するためのプラスチックねじ（図示せず）が設けられている。また、上側の陳列用棚部３には、図３に示すように、その底部に、左右一対の脚部３ｂと、断面形状コ字状の固定部３０が形成されており、この固定部３０に取り付けられたプラスチックねじ３０ａで上記連結部３３の上端部分が着脱自在に固定される。
【００１４】
上記支受部材４は、図４に示すように、左右１対の金属製の線状材４ａ，４ｂからなり、それぞれ、前側に配設される短脚部３１と、後側に配設される長脚部３２と、両脚部３１，３２の上端同士を連結する上り傾斜状の連結部３３とで構成されている。また、上記支受部材４には、その両長脚部３２の下端から内側に向かって線状凸部３２ａが突設されており、これら両線状凸部３２ａが金属製の連結棒３４で着脱自在に連結されている。このため、連結棒３４の長さを調節することにより、上記支受部材４の左右幅を調節できるようにしている。図１において、３５はボトルタイプの液体化粧料容器であり、プラスチック製の透明箱形容器３６に収容されている。
【００１５】
上記の構成において、下側の陳列用棚部１を支受部材４の両連結部３３の下端部分に載置してプラスチックねじで固定し、中間の陳列用棚部２を上記両連結部３３の中間部分に載置してプラスチックねじで固定し、上側の陳列用棚部３を上記両連結部３３の上端部分に載置してプラスチックねじ３０ａで固定すると、これら各陳列用棚部１〜３を上記両連結部３３に直列状に配設する支受態様（図１参照）にすることができる。また、上記各陳列用棚部１〜３を上記両連結部３３から取り外して被載置面に並列状に配設する載置態様（図５参照）にすることもできる。図５において、３７，３８は紙製の宣伝用ボードである。
【００１６】
上記のように、この実施の形態では、上記各陳列用棚部１〜３を支受部材４の両連結部３３に直列状に配設する支受態様にすることも、上記各陳列用棚部１〜３を上記両連結部３３から取り外して被載置面に並列状に配設する載置態様にすることもできる。このため、上記各陳列用棚部１〜３を横長のスペースに置く場合にも、縦長のスペースに置く場合にも、それぞれの場合に対応することができる。しかも、支受部材４が左右１対の線状材４ａ，４ｂで構成されているため、支受部材４が撓んだり、ねじれたりしやすく、安定して上記各陳列用棚部１〜３を支受することができる。しかも、支受部材４の製作費が安価であり、複数の支受部材４を収納等する場合にも嵩張らない。
【００１７】
なお、上記実施の形態では、３個の陳列用棚部１〜３を用いているが、これに限定するものではなく、２個でもよいし、４個以上でもよい。また、上記支受部材４は、左右１対の線状材４ａ，４ｂを連結棒３４で連結した状態で用いているが、連結棒３４で連結しない状態で用いてよいし、左右１対の線状材４ａ，４ｂと連結棒３４とを一体成形してもよい。
【００１８】
【発明の効果】
以上のように、本発明の陳列棚によれば、複数の陳列用棚部を支受部材の両連結部に直列状に配設する支受態様にすることも、上記複数の陳列用棚部を支受部材の両連結部から取り外した状態で被載置面に並列状に配設する載置態様にすることもできるため、１種類の陳列棚を作製するだけでよく、製作費が安価になる。
【００１９】
しかも、支受部材が、左右１対の線状材からなり、これら上記両線状材を、前側に配設される短脚部と、後側に配設される長脚部と、両脚部の上端同士を連結する連結部とで構成しているため、上記両線状材が撓んだり、ねじれたりしやすく、上記支受態様において、上記複数の陳列用棚部を支受部材の両連結部に安定して支受することができる。
【００２０】
そのうえ、支受部材の製作費が安価であり、両線状材を収納等する場合にも嵩張らない。
【図面の簡単な説明】
【図１】本発明の陳列棚の一実施の形態を示す斜視図である。
【図２】上記陳列棚の分解斜視図である。
【図３】上記陳列棚の底部の構造を示す要部斜視図である。
【図４】支受部材の斜視図である。
【図５】上記陳列棚の載置態様を示す斜視図である。
【図６】従来例を示す斜視図である。
【符号の説明】
１〜３  陳列用棚部
４  支受部材
３１  短脚部
３２  長脚部
【図１】
0003657842.tif 000002
【図２】
0003657842.tif 000003
【図３】
0003657842.tif 000004
【図４】
0003657842.tif 000005
【図５】
0003657842.tif 000006
【図６】
0003657842.tif 000007